(57)【要約】【課題】  どのような本でも２カ所以上で確実に本を押さえることができ、しかも、押さえるべきところで確実に押さえることができるストッパー及び、該ストッパーが取り付けられた書見台、この書見台を備えた鍵盤楽器を提供する。【解決手段】  ストッパー３は、辺部１１に沿って移動可能な本体部３０と、本体部３０から背面部１２上に延設された捲防止部３２とを備えている。譜面台１は、底面部１０の読手側（演奏者側）の辺部１１が上方に向かって折り曲げられており、ストッパー３の本体部３０は、底面部１０の辺部１１の折り曲げられた形状に嵌合する形状に形成されている。このストッパー３は、底面部１０の読手側の辺部１１に沿って移動可能なので、利用する譜面本のサイズが変われば、各譜面本のサイズに合わせて各ストッパー３を移動して、２カ所以上で確実に譜面本を押さえることができる。【選択図】  図２
2005189734.tif 000002
【特許請求の範囲】
【請求項１】
本の下縁を受ける底面部と、本の背面を受ける背面部とを備える書見台に載せられた前記本を止めるストッパーであって、
前記底面部の読手側の辺部に取り付けられ、該辺部に沿ってスライド可能な本体部と、
該本体部から前記背面部上に延設された捲防止部と
を備えることを特徴とするストッパー。
【請求項２】
前記書面台の前記底面部の読手側の辺部が上方あるいは下方に向かって折り曲げられ、
前記本体部は、前記底面部の辺部の折り曲げられた形状に嵌合する形状に形成されていることを特徴とする請求項１記載のストッパー。
【請求項３】
前記書見台の前記底面部の読手側の辺部に沿って引掛部が設けられ、
前記本体部は、前記引掛部に掛合可能な掛合部を備えることを特徴とする請求項１，２いずれか記載のストッパー。
【請求項４】
前記捲防止部の先端であって前記書面台の前記背面部に対向する側には、前記本のページとの接触点の回転方向が、読み手から見た左右方向に沿うよう回転可能に取り付けられた紙送ローラを備えていることを特徴とする請求項１〜３いずれか記載のストッパー。
【請求項５】
請求項１〜４いずれか記載のストッパーを備えることを特徴とする書見台。
【請求項６】
前記底面部は、前記ストッパーをスライドさせて、その辺部の少なくとも一方の端部から取り外し可能に形成されていることを特徴とする請求項５記載の書見台。
【請求項７】
請求項５，６いずれか記載の書見台を譜面台として備える鍵盤楽器。
【発明の詳細な説明】
【技術分野】
【０００１】
本発明は、書見台に置かれた本がめくれることを防止するストッパー及び該ストッパーを備える書見台及び該書面台を備える鍵盤楽器に関する。
【背景技術】
【０００２】
鍵盤楽器は、例えば、図３に示すような譜面台１００を備えている。尚、以下の説明では、演奏者が非演奏者側を向いて座ったときの左右方向を左右方向と言う・
この譜面台１００は、図３（ａ）に示すように、譜面の下縁を受ける底面部１０１と、譜面の背面を受ける背面部１０２とを備えている。そして背面部１１２から所定距離だけ演奏者側（読手側）の底面部１０１上には、長尺に形成された２つのストッパー１０３が設けられている。このストッパー１０３は、底面部１０１の中央から左右方向に所定距離だけ離れた場所に設けられた収納溝１０４に設置されている。この収納溝１１４は、左右方向に長尺に形成されており、ストッパー１０３は、その長手方向に沿って収納されている。またストッパー１０３は、長手方向中央よりやや内側（対向する収納溝１０４側）を支点に、外側が上方に向かってせりだすように、収納溝１０４内に回転可能に支持されている。またストッパー１０３は、図３（ｂ）に示すように、収納溝１０４に収納されるとき、底面部１０１と面一になるにされている。さらに、この収納溝１０４は、ストッパー１０３を迫り出した状態及び収納した状態を保つ図示しない保持部を備えている。
【０００３】
このストッパー１０３は、譜面台１００に譜面本を置くときは、各ストッパー１０３の内側を押し、外側を迫り出させて使用する。このようにすると、その迫り出した部分に譜面本が引っ掛かり、演奏者側にずれること、あるいは、広げた譜面が閉じることが防止される。一方、使用しないときは、ストッパー１０３の外側を押して収納溝１０４内に収納すれば、底面部１０１とストッパー１０３とが面一になるので、ストッパー１０３になにかを引っ掛けてしまう事故を防止することができる。
【非特許文献１】ローランドカタログ（２００２年１２月発行、型番ＮＡＭ−４０５８’０２  ＤＥＣ  Ｃ−４  Ｕ−Ｋ）
【発明の開示】
【発明が解決しようとする課題】
【０００４】
しかし、従来のストッパー１０３は、譜面台１００に固定されているため、ストッパー１０３が設置されている幅より譜面本が小さい場合は、どちらか一方でしか譜面本を押さえることができないという問題があった。また、２カ所以上で押さえることができたとしても、譜面本のサイズや厚さ等の本の個性によっては、押さえるべき部分を押さえられないとページが捲れたり本が閉じてしまう恐れがあるが、従来のストッパー１０３は、譜面台１００に固定されているため、その場所を必ずしも押さえることができず、ページが捲れたり本が閉じてしまうという問題があった。
【０００５】
そこで本発明では、上述した問題点を解決し、どのような本でも２カ所以上で確実に本を押さえることができ、しかも、押さえるべきところで確実に押さえることができるストッパー及び、該ストッパーが取り付けられた書見台、この書見台を備えた鍵盤楽器を提供することを目的とする。
【課題を解決するための手段】
【０００６】
上述した問題点を解決するためになされた請求項１に記載の発明は、本の下縁を受ける底面部と、本の背面を受ける背面部とを備える書見台に載せられた前記本を止めるストッパーであって、前記底面部の読手側の辺部に取り付けられ、該辺部に沿ってスライド可能な本体部と、該本体部から前記背面部上に延設された捲防止部とを備えることを特徴とする。
【０００７】
このストッパーは、底面部の読手側の辺部に沿って移動可能なので、利用する本のサイズが変われば、各本のサイズに合わせてストッパーを移動して、ストッパーが２個以上あれば、２カ所以上で確実に本を押さえることができ、また、本の厚さ等、本の有する個性によって押さえるべき位置が変われば、各本の個性に合わせてストッパーを移動して、本を押さえるべきところで確実に本を押さえることができる。
【０００８】
従って、このストッパーを用いれば、どのような本であっても書見台に載せられた本が閉じたり、ページがめくれたりしないよう、確実に本を押さえることができる。
次に、ストッパーの形状については、請求項２に記載されているように、書面台の底面部の読手側の辺部が上方あるいは下方に向かって折り曲げられている場合、本体部は、底面部の辺部の折り曲げられた形状に嵌合する形状に形成されていることが好ましい。このように形成されていれば、ストッパーは折り曲げ部分で引っ掛かって読手側に向かって抜けることが防止されるので、書面台に置かれた本を有効に押さえることができる。
【０００９】
また、請求項３に記載されているように、書見台の底面部の読手側の辺部に沿って引掛部が設けられている場合、本体部は、引掛部に掛合可能な掛合部を備えていることが好ましい。このように形成されていれば、引掛部は掛合部で引っ掛かって読手側に向かって抜けることが防止されるので、書面台に置かれた本を有効に押さえることができる。
【００１０】
次に、請求項４に記載したように、ストッパーの捲防止部の先端であって背面部に対向する側には、本のページとの接触点の回転方向が、読み手から見た左右方向に沿うよう回転可能に取り付けられた紙送ローラを備えていることが好ましい。単に捲防止部で押さえていると、捲防止部にページが引っ掛かかり、場合によってはページが破れてしまう恐れがあるが、この紙送ローラを備えていると、ページを捲るとき紙送ローラが回転してページを送るため、ページをスムーズに捲ることができる。
【００１１】
次に、請求項５に記載したように、請求項１〜４いずれか記載のストッパーを備えた書面台を用いると上記のような効果がある。そして、請求項６に記載したように、この書面台の底部を、その辺部の少なくとも一方の端部からストッパーを取り外し可能に形成すれば、複数のストッパーを書見台に取り付けることで、複数の本を有効に押さえることができたり、捲れやすい本を押さえる場合はストッパーを継ぎ足すなどして、どのような本でも有効に押さえることができる。
【００１２】
次に、請求項７に記載したように、請求項５，６いずれか記載の書見台を譜面台として備える鍵盤楽器は、譜面が捲れないので、安心して演奏することができる。
【発明を実施するための最良の形態】
【００１３】
以下、本発明を実施するための最良の形態について図面を用いて説明する。
図１は、本発明の書面台に相当する譜面台及びストッパーの斜視図、図２は、図１のＡ−Ａ’断面図であって、ストッパーの断面図である。
【００１４】
本実施形態の譜面台１は、図１に示すように、電子ピアノ９の天井面に設けられ、譜面本の下縁を受ける底面部１０と、譜面本の背面を受ける背面部１２とを備えている。
一方、ストッパー３は、底面部１０の読手側の辺部１１に取り付けられるものであり、図２に示すように、辺部１１に沿って移動可能な本体部３０と、本体部３０から背面部１２上に延設された捲防止部３２とを備えている。
【００１５】
譜面台１は、底面部１０の読手側（演奏者側）の辺部１１が上方に向かって折り曲げられており、ストッパー３の本体部３０は、底面部１０の辺部１１の折り曲げられた形状に嵌合する形状に形成されている。
【００１６】
また、ストッパー３は、捲防止部３２の先端であって背面部１２に対向する側には、譜面本のページとの接触点の回転方向が、読手から見た左右方向（図２の紙面に垂直な方向）に沿うよう回転可能に取り付けられた紙送ローラ３４を備えている。
【００１７】
そして、譜面台１は、このように形成されたストッパーをスライドさせて、その辺部１１の左右方向のいずれの端部からでも脱着できるよう、底面部１０はその長さ方向（図２の紙面に垂直な方向）に垂直な断面形状が同一形状に形成されている。
【００１８】
以上のように構成された譜面台１及びストッパー３を用いると次のような作用効果がある。
このストッパー３は、底面部１０の読手側の辺部１１に沿って移動可能なので、利用する譜面本のサイズが変われば、各譜面本のサイズに合わせて各ストッパー３を移動して、２カ所以上で確実に譜面本を押さえることができ、また、譜面本の厚さ等、本の有する個性によって押さえるべき位置が変われば、各譜面本の個性に合わせてストッパー３を移動して、譜面本を押さえるべきところで確実に本を押さえることができる。
【００１９】
従って、このストッパー３を用いれば、どのような譜面本であっても譜面台に載せられた本が閉じたり、ページがめくれたりしないよう、確実に譜面本を押さえることができる。
【００２０】
また、ストッパー３は、底面部１０の折り曲げ部分で引っ掛かって読手側（演奏者側）に向かって抜けることが防止されるので、譜面台１に置かれた譜面本を確実に押さえることができる。
【００２１】
さらに、本実施形態のストッパー３は、紙送ローラ３４を備えているので、ページを捲るとき紙送ローラ３４が回転して、ページをスムーズに捲ることができる。
一方、本実施形態の譜面台１は、底面部１０の辺部１１の少なくとも一方の端部からストッパーを脱着可能に形成されているので、複数のストッパー３を譜面台に取り付けることで、複数の本を確実に押さえることができ、しかも捲れやすい本を押さえる場合はストッパー３継ぎ足すなどして、ページが捲れないよう等するためより確実に本を押さえることができる。
【００２２】
そしてこのような譜面台１とストッパー３を備える電子ピアノ９では、譜面台１に載せられた譜面本のページが捲れないので、演奏者は、譜面本が閉じてしまうことを心配することなく、安心して演奏することができる。
【００２３】
尚、以上本発明の一実施形態ついて説明したが、本発明はこの実施形態に何等限定されるものではなく、本発明の要旨を逸脱しない範囲において、種々なる態様で実施し得ることは勿論である。
【００２４】
例えば、本実施形態では底面部１０の読手側の辺部１１が上方に向かって折り曲げられているが、下方に向かって折り曲げられていてもよい。
また、底面部１０の読手側の辺部１１に沿って引掛溝を設け、本体部３０には、この引掛溝に掛合可能な掛合突起を備えるようにしてもよい。このように形成すれば、引掛突起が掛合溝に引っ掛かってストッパー３が読手側に向かって向けることが防止されるので、譜面台に置かれた本をより確実に押さえることができる。
【図面の簡単な説明】
【００２５】
【図１】本実施形態の説明図であって、譜面台及びストッパーの斜視図である。
【図２】図１のＡ−Ａ’断面図であって、ストッパーの断面図である。
【図３】従来の譜面台及びストッパーの説明図である。
【符号の説明】
【００２６】
１・・・譜面台、３・・・ストッパー、９・・・電子ピアノ、１０・・・底面部、１１・・・辺部、１２・・・背面部、３０・・・本体部、３２・・・捲防止部、３４・・・紙送ローラ
【図１】
2005189734.tif 000003
【図２】
2005189734.tif 000004
【図３】
2005189734.tif 000005